(57)【特許請求の範囲】
【請求項１】
遊技機の遊技盤に直接又は他部材を介して間接的に固定され、前記遊技盤の前面と直交する前後方向において少なくとも前記遊技盤の前方側で、前記遊技盤の前面に沿って流下する遊技球を下方側に進入させつつ取り込む入賞口が形成されてなる筐体と、
前記前後方向に沿ってスライドするように前記筐体に直接又は他部材を介して間接的に支持され、少なくとも自身の一部を前記遊技盤の盤面の前方側に配置して前記入賞口を閉鎖する閉鎖位置と、その閉鎖位置のときよりも後方側に退避して前記入賞口を開放する開放位置との間でスライド動作するように配置された開閉部材と、
駆動力を生じさせる駆動源と、
前記前後方向と交差する回動軸線回りに回動可能に保持された伝達部材を備え、前記駆動源の駆動力を受けて前記伝達部材が回動するように構成されると共に、当該伝達部材の回動動作に連係させて前記開閉部材をスライド動作させる伝達機構と、
を備え、
前記開閉部材には、当該開閉部材が前記閉鎖位置と前記開放位置とで変位する際に前後方向に変位するロック受け部が形成される一方、
前記伝達部材には、当該伝達部材が回動変位する際に前記ロック受け部の変位軌跡と交差する回動軌跡に沿って回動変位するロック部が形成され、
前記開閉部材が前記閉鎖位置にある状態で前記駆動源の駆動力により前記伝達部材が回動する場合には、前記伝達部材の動作開始に伴う前記ロック部の後方移動により当該ロック部の回動軌跡上から前記ロック受け部が外れた状態で前記伝達部材が回動し、その回動動作と連係して前記開閉部材が前記開放位置に変位するようになっており、
前記開閉部材が前記閉鎖位置にある状態で前記開閉部材を前記開放位置に変位させようとする外力が加えられた場合には、その外力に伴って前記開閉部材が前記伝達機構を動かそうとする際に前記ロック受け部が前記ロック部の回動軌跡上に入り込んで当該ロック部の移動を受け止めることで前記伝達部材の回動が規制され、前記開閉部材が前記開放位置に変位することが阻止される構成であり、
少なくとも自身の一部を前記遊技盤の盤面の前方側に配置した状態で前記遊技盤の盤面と交差する回動軸線を中心として回動可能に支持され、前記入賞口に遊技球が進入し難い状態となる第１回動位置と、前記第１回動位置のときよりも遊技球が進入し易い状態となる第２回動位置とに変位可能な回動片を備え、
前記伝達機構には、前記駆動源の駆動力を前記回動片の回動動作に変換すると共に前記駆動源の駆動に応じて前記伝達部材を直接又は他部材を介して連係動作させる変換部材が設けられ、
前記回動片と連動する構成で前記変換部材から作用を受ける回動片側被作用部が形成されており、
前記回動片側被作用部は、前記回動片が前記第１回動位置と前記第２回動位置とで変位する際に所定の回動軌跡に沿って回動変位するように構成され、
前記変換部材には、前記回動片側被作用部に作用する変換部材側作用部と、前記回動片側被作用部の回動軌跡と交差する変位軌跡に沿って変位する変換部材側ロック部とが形成され、
前記回動片が前記第１回動位置にある状態で前記駆動源の駆動力により前記変換部材が変位する際には、前記回動片側被作用部の回動軌跡上から前記変換部材側ロック部が外れるように移動した上で前記変換部材側作用部が前記回動片側被作用部に作用し、その作用に応じて前記回動片が前記第２回動位置に変位するようになっており、
前記回動片が前記第１回動位置にある状態で前記回動片を前記第２回動位置に変位させようとする外力が加えられた場合には、その外力に応じて前記回動片と連動しようとする前記回動片側被作用部の回動軌跡上に前記変換部材側ロック部が位置し続けることで当該回動片側被作用部及び前記回動片の回動が規制され、前記回動片が前記第２回動位置に変位することが阻止されることを特徴とする遊技機用可変入賞装置。
【請求項２】
前記開閉部材には、前記伝達機構から作用を受ける被作用部が形成され、
前記被作用部は、前記開閉部材が前記閉鎖位置と前記開放位置とで変位する際に前後方向に変位するように構成されており、
前記伝達部材における前記開閉部材と連係する先端部分には、少なくとも一部が前記開閉部材の前記被作用部よりも前方側に位置すると共に、当該先端部分が後方側へ移動することに伴い前記被作用部を後方側に押圧する第１押圧部と、少なくとも一部が前記被作用部よりも後方側に位置すると共に、当該先端部分が前方側へ移動することに伴い前記被作用部を前方側に押圧する第２押圧部とが形成され、
前記開閉部材において前記ロック受け部が前記被作用部よりも前方側に配置され、
前記ロック部は、前記第１押圧部の先端部によって形成されており、
前記開閉部材が前記閉鎖位置にある状態で前記駆動源の駆動力により前記伝達部材が回動する場合には、その回動に応じた前記第１押圧部の後方移動に伴い当該第１押圧部の先端に位置する前記ロック部が前記被作用部と前記ロック受け部の間に入り込むように移動しつつ後方側に移動するようになっており、
前記開閉部材が前記閉鎖位置にある状態で前記開閉部材を前記開放位置に変位させようとする外力が加えられた場合には、その外力に伴って前記開閉部材が前記第２押圧部を押圧して前記伝達機構を動かそうとする際に、当該開閉部材に設けられた前記ロック受け部が前記第１押圧部の先端に設けられた前記ロック部の前方側で当該ロック部に当接することで、前記第１押圧部の後方への移動が規制され、前記開閉部材がその当接位置よりも後方に変位することが阻止されることを特徴とする請求項１に記載の遊技機用可変入賞装置。
【請求項３】
前記遊技球の流下方向を上下方向とし、当該上下方向及び前記前後方向と直交する方向を左右方向としたとき、少なくとも一対の前記回動片が左右に離れて配置されており、且つそれら一対の前記回動片は、前記閉鎖位置にある前記開閉部材の左右両端部の下方にそれぞれ位置していることを特徴とする請求項１又は請求項２に記載の遊技機用可変入賞装置。
【請求項４】
請求項１から請求項３のいずれか一項に記載の遊技機用可変入賞装置を備えたことを特徴とする遊技機。
【発明の詳細な説明】
【技術分野】
【０００１】
本発明は、遊技機用可変入賞装置及びそれを備えた遊技機に関するものである。
【背景技術】
【０００２】
アタッカーとも称される大入賞装置には、入賞口を開閉する開閉部材が、閉鎖状態では遊技盤の前方に突出し、開放状態では遊技盤の前方から後退するスライド式のものがある。この種の装置では、開閉部材は、直接又は他部材を介して間接的に駆動源の駆動力を受けてスライド動作するようになっている。
【０００３】
例えば、特許文献１に開示される入賞装置は、入賞口の上方に配置され台板（２）と交差する方向に直線的に移動可能なスライド板（４０）と、台板（２）から後方に離間した位置に配置され駆動力を生じさせるソレノイド（３０）と、ソレノイド（３０）の駆動力をスライド板（４０）に伝導するスライド板連動機構（７０Ａ）と、を備えている。また、スライド板（４０）の後方には、左右方向に突出するガイドピン（４１ｄ）が形成されている。更に、スライド板連動機構（７０Ａ）は、上部から斜め前方へ延出形成された左右一対のガイドアーム（２１ｆ，２１ｆ）を備え、ガイドアーム（２１ｆ，２１ｆ）にはそれぞれスライド孔（２１ｇ，２１ｇ）が形成されており、回動軸（２１ｅ）を中心として回動するように構成されている。そして、ソレノイド（３０）のプランジャ（３７）の直線変位をガイドアーム（２１ｆ，２１ｆ）の回転変位に変換し、更にそのガイドアーム（２１ｆ，２１ｆ）の回転変位の際にスライド孔（２１ｇ，２１ｇ）でガイドピン（４１ｄ，４１ｄ）をガイドして、スライド板（４０）の盤面前後方向への直線変位に変換している。
【先行技術文献】
【特許文献】
【０００４】
【特許文献１】特開２００８−１３２０４８号公報
【発明の概要】
【発明が解決しようとする課題】
【０００５】
ところで、特許文献1の構成では、不正開放動作（ソレノイド（３０）によらない外力による強制的な開放動作）を防止するための阻止手段が設けられており、一対の回動翼片（１０，１０）を閉鎖位置から開放位置側に強制的に回動させるための外力（Ｆ）が加えられ、回動翼片（１０，１０）がソレノイド（３０）のプランジャ（３７）を変位させて開放位置に回動した場合であっても、スライド板（４０）が没入位置に達しないようになっている。この構成では、回動翼片（１０，１０）とスライド板（４０）とが連動し得るような上述の構成において、回動片が不正操作されたときにスライド板（４０）の強制開放を防ぐ効果は得られるが、スライド板（４０）が直接的に不正操作されたときに開放を確実に防ぐことができない懸念がある。
【０００６】
本発明は、上述した課題を解決するためになされたものであり、入賞口を開閉する開閉部材が前後にスライド動作可能に構成された遊技機用可変入賞装置及びこれを備えた遊技機において、開閉部材の不正開放をより確実に防止することが可能な構成を提供することを目的とする。
【課題を解決するための手段】
【０００７】
本発明の遊技機用可変入賞装置は、
遊技機の遊技盤に直接又は他部材を介して間接的に固定され、前記遊技盤の前面と直交する前後方向において少なくとも前記遊技盤の前方側で、前記遊技盤の前面に沿って流下する遊技球を下方側に進入させつつ取り込む入賞口が形成されてなる筐体と、
前記前後方向に沿ってスライドするように前記筐体に直接又は他部材を介して間接的に支持され、少なくとも自身の一部を前記遊技盤の盤面の前方側に配置して前記入賞口を閉鎖する閉鎖位置と、その閉鎖位置のときよりも後方側に退避して前記入賞口を開放する開放位置との間でスライド動作するように配置された開閉部材と、
駆動力を生じさせる駆動源と、
前記前後方向と交差する回動軸線回りに回動可能に保持された伝達部材を備え、前記駆動源の駆動力を受けて前記伝達部材が回動するように構成されると共に、当該伝達部材の回動動作に連係させて前記開閉部材をスライド動作させる伝達機構と、
を備え、
前記開閉部材には、当該開閉部材が前記閉鎖位置と前記開放位置とで変位する際に前後方向に変位するロック受け部が形成される一方、
前記伝達部材には、当該伝達部材が回動変位する際に前記ロック受け部の変位軌跡と交差する回動軌跡に沿って回動変位するロック部が形成され、
前記開閉部材が前記閉鎖位置にある状態で前記駆動源の駆動力により前記伝達部材が回動する場合には、前記伝達部材の動作開始に伴う前記ロック部の後方移動により当該ロック部の回動軌跡上から前記ロック受け部が外れた状態で前記伝達部材が回動し、その回動動作と連係して前記開閉部材が前記開放位置に変位するようになっており、
前記開閉部材が前記閉鎖位置にある状態で前記開閉部材を前記開放位置に変位させようとする外力が加えられた場合には、その外力に伴って前記開閉部材が前記伝達機構を動かそうとする際に前記ロック受け部が前記ロック部の回動軌跡上に入り込んで当該ロック部の移動を受け止めることで前記伝達部材の回動が規制され、前記開閉部材が前記開放位置に変位することが阻止される構成であり、
少なくとも自身の一部を前記遊技盤の盤面の前方側に配置した状態で前記遊技盤の盤面と交差する回動軸線を中心として回動可能に支持され、前記入賞口に遊技球が進入し難い状態となる第１回動位置と、前記第１回動位置のときよりも遊技球が進入し易い状態となる第２回動位置とに変位可能な回動片を備え、
前記伝達機構には、前記駆動源の駆動力を前記回動片の回動動作に変換すると共に前記駆動源の駆動に応じて前記伝達部材を直接又は他部材を介して連係動作させる変換部材が設けられ、
前記回動片と連動する構成で前記変換部材から作用を受ける回動片側被作用部が形成されており、
前記回動片側被作用部は、前記回動片が前記第１回動位置と前記第２回動位置とで変位する際に所定の回動軌跡に沿って回動変位するように構成され、
前記変換部材には、前記回動片側被作用部に作用する変換部材側作用部と、前記回動片側被作用部の回動軌跡と交差する変位軌跡に沿って変位する変換部材側ロック部とが形成され、
前記回動片が前記第１回動位置にある状態で前記駆動源の駆動力により前記変換部材が変位する際には、前記回動片側被作用部の回動軌跡上から前記変換部材側ロック部が外れるように移動した上で前記変換部材側作用部が前記回動片側被作用部に作用し、その作用に応じて前記回動片が前記第２回動位置に変位するようになっており、
前記回動片が前記第１回動位置にある状態で前記回動片を前記第２回動位置に変位させようとする外力が加えられた場合には、その外力に応じて前記回動片と連動しようとする前記回動片側被作用部の回動軌跡上に前記変換部材側ロック部が位置し続けることで当該回動片側被作用部及び前記回動片の回動が規制され、前記回動片が前記第２回動位置に変位することが阻止される構成であってもよい。
【０００８】
本発明の遊技機は、上記遊技機用可変入賞装置が遊技盤に配置されていることを特徴とする。
【発明の効果】
【０００９】
本発明の遊技機用可変入賞装置及び遊技機によれば、開閉部材を閉鎖位置から開放位置に変位させようとする外力が加えられ、不正開放操作が行われようとした場合に、その外力に伴って開閉部材が伝達機構を動かそうとする過程で、ロック受け部がロック部の回動軌跡上に入り込んでロック部を受け止める（ロック部の移動を規制する）ことで、開閉部材を押しても伝達部材が連動せずに回動が規制される。従って、開閉部材は所定位置から後方に移動できなくなり、開放位置に変位することが阻止されるため、入賞装置の不正開放を確実に防ぐことができる。特に、開閉部材に直接的に形成されるロック受け部と伝達部材に直接的に形成されるロック部とを主体として開閉部材の開放を阻止するロック機構を構成することができるため、不正開放操作時に開閉部材の移動を迅速に規制し得る構成を、よりコンパクトに実現することができる。
一方、入賞装置の通常の開放動作時には、支障なく開閉部材をスライド動作させることができる。即ち、不正開放操作によらず、駆動源の駆動力により伝達部材が回動する場合には、伝達部材の動作開始に伴うロック部の後方移動により当該ロック部の回動軌跡上からロック受け部が外れた状態で伝達部材が回動するため、その回動動作と連動して開閉部材を開放位置に変位させることができる。
更に、この構成によれば、単一種の駆動源によって２種類の部材（開閉部材と回動片）を動作可能としつつ、開閉部材及び回動片のそれぞれの動作系が独立して不正開放防止機能を発揮できるようになり、意図しない入賞口の開放をより強固に防ぐことができる。
【００１０】
また、本発明において、前記開閉部材には、前記伝達機構から作用を受ける被作用部が形成され、
前記被作用部は、前記開閉部材が前記閉鎖位置と前記開放位置とで変位する際に前後方向に変位するように構成されており、
前記伝達部材における前記開閉部材と連係する先端部分には、少なくとも一部が前記開閉部材の前記被作用部よりも前方側に位置すると共に、当該先端部分が後方側へ移動することに伴い前記被作用部を後方側に押圧する第１押圧部と、少なくとも一部が前記被作用部よりも後方側に位置すると共に、当該先端部分が前方側へ移動することに伴い前記被作用部を前方側に押圧する第２押圧部とが形成され、
前記開閉部材において前記ロック受け部が前記被作用部よりも前方側に配置され、
前記ロック部は、前記第１押圧部の先端部によって形成されており、
前記開閉部材が前記閉鎖位置にある状態で前記駆動源の駆動力により前記伝達部材が回動する場合には、その回動に応じた前記第１押圧部の後方移動に伴い当該第１押圧部の先端に位置する前記ロック部が前記被作用部と前記ロック受け部の間に入り込むように移動しつつ後方側に移動するようになっており、
前記開閉部材が前記閉鎖位置にある状態で前記開閉部材を前記開放位置に変位させようとする外力が加えられた場合には、その外力に伴って前記開閉部材が前記第２押圧部を押圧して前記伝達機構を動かそうとする際に、当該開閉部材に設けられた前記ロック受け部が前記第１押圧部の先端に設けられた前記ロック部の前方側で当該ロック部に当接することで、前記第１押圧部の後方への移動が規制され、前記開閉部材がその当接位置よりも後方に変位することが阻止されるように構成されていてもよい。
【００１１】
この構成によれば、伝達部材に第１押圧部と第２押圧部とを形成し、第１押圧部の先端部をロック部として機能させるという簡易な構成で、伝達部材の回動動作を開閉部材の前後方向の変位動作に円滑に変換可能としつつロック機構を実現することができる。
【００１４】
また、本発明において、前記遊技球の流下方向を上下方向とし、当該上下方向及び前記前後方向と直交する方向を左右方向としたとき、少なくとも一対の前記回動片が左右に離れて配置されており、且つそれら一対の前記回動片は、前記閉鎖位置にある前記開閉部材の左右両端部の下方にそれぞれ位置していてもよい。
【００１５】
この構成によれば、入賞口の開放時（即ち、開閉部材が開放位置にあり、回動片が第２回動位置にあるとき）に当該入賞口をより広く開放することができ、遊技球をより入賞させやすい入賞装置を実現しつつ、開閉部材及び回動片のいずれに対する不正開放操作をも防ぐことができる。
【図面の簡単な説明】
【００１６】
【図１】図１は、本発明の第１実施形態に係る遊技機用可変入賞装置を備えた遊技機を例示する正面図である。
【図２】図２（Ａ）は、本発明の第１実施形態に係る遊技機用可変入賞装置に関し、開閉部材が閉鎖位置にあるときの前側の斜め上方から見た斜視図であり、図２（Ｂ）は、その正面図である。
【図３】図３（Ａ）は、図２の遊技機用可変入賞装置を後方側且つ斜め上方側から見た斜視図であり、図３（Ｂ）は、その遊技機用可変入賞装置を後方側且つ斜め下方側から見た斜視図である。
【図４】図４（Ａ）は、図２の遊技機用可変入賞装置の背面図であり、図４（Ｂ）は、図２（Ｂ）のＡ−Ａ断面を概略的に示す断面図である。
【図５】図５は、図２の遊技機用可変入賞装置を構成する前側の一部について、前方側且つ斜め上方側から見た分解斜視図である。
【図６】図６は、図５に繋がる図であり、図２の遊技機用可変入賞装置を構成する後側の一部について前方側且つ斜め上方側から見た分解斜視図である。
【図７】図７は、図２の遊技機用可変入賞装置を構成する前側の一部について、後方側且つ斜め下方側から見た分解斜視図である。
【図８】図８は、図７に繋がる図であり、図２の遊技機用可変入賞装置を構成する後側の一部について後方側且つ斜め下方側から見た分解斜視図である。
【図９】図９は、図２の遊技機用可変入賞装置における、駆動源、変換部材、伝達機構及び開閉部材の連係状態を示す図であり、図９（Ａ）は、前方側且つ斜め下方側から見た斜視図であり、図９（Ｂ）は、後方側且つ斜め上方側から見た斜視図である。
【図１０】図１０は、図２（Ｂ）のＡ−Ａ断面を概略的に示す断面図において、駆動源、変換部材、伝達機構及び開閉部材の連係状態を示す図であり、図１０（Ａ）は、開閉部材が閉鎖位置にあるときの様子を示す図であり、図１０（Ｂ）は、開閉部材が開放位置にあるときの様子を示す図であり、図１０（Ｃ）は、開閉部材がロックされたときの様子を示す図である。
【図１１】図１１は、図２の遊技機用可変入賞装置において、開閉部材が閉鎖位置にあり且つ回動片が第１回動位置にあるときの、駆動源、変換部材、伝達機構、回動体及び開閉部材の連係状態を示す図であり、図１１（Ａ）は、前方側且つ斜め下方側から見た斜視図であり、図１１（Ｂ）は、後方側且つ斜め上方側から見た斜視図である。
【図１２】図１２は、図２の遊技機用可変入賞装置において、開閉部材が開放位置にあり且つ回動片が第２回動位置にあるときの、駆動源、変換部材、伝達機構、回動体及び開閉部材の連係状態を示す図であり、図１２（Ａ）は、前方側且つ斜め下方側から見た斜視図であり、図１２（Ｂ）は、その連係状態を、後方側且つ斜め上方側から見た斜視図である。
【図１３】図１３は、図２の遊技機用可変入賞装置における、駆動源、変換部材、伝達機構、回動体及び開閉部材の連係状態を側方から見た説明図であり、図１３（Ａ）は、開閉部材が閉鎖位置にあり且つ回動片が第１回動位置にあるときの様子を示す図であり、図１３（Ｂ）は、開閉部材が開放位置にあり且つ回動片が第２回動位置にあるときの様子を示す図である。
【図１４】図１４は、図２の遊技機用可変入賞装置における、駆動源、変換部材及び回動体の連係状態を後方から見た説明図であり、図１４（Ａ）は、回動片が第１回動位置にあるときの様子を示す図であり、図１４（Ｂ）は、ソレノイドの駆動動作に伴って変換部材が図１４（Ａ）の位置からある程度退避したときの様子を示す図であり、図１４（Ｃ）は、回動片が第２回動位置にあるときの様子を示す図である。
【図１５】図１５は、本発明の第２実施形態に係る遊技機用可変入賞装置に関し、駆動源、変換部材、伝達機構及び開閉部材の連係状態を示す図であり、図１５（Ａ）は、開閉部材が閉鎖位置にある状態を前方側且つ斜め上方側から見た斜視図であり、図１５（Ｂ）は、その状態を前方側且つ斜め下方側から見た斜視図であり、図１５（Ｃ）は、その状態を下方側から見た斜視図である
【発明を実施するための形態】
【００１７】
[第１実施形態]
以下、本発明に係る遊技機用可変入賞装置１０及びそれを備えた遊技機１を具現化した第１実施形態について、図面を参照して説明する。まず、図１を参照して遊技機１の構成を概説する。
【００１８】
（遊技機の全体構成）
図１に示す遊技機１は、いわゆるパチンコ機として構成されるものであり、木板（ベニヤ板）、アクリル板等によって構成される遊技盤２の盤面（前面２ａ）に沿って遊技球の発射を誘導するガイドレール５が設けられ、このガイドレール５等によって区画された形態で遊技領域が形成されている。また、遊技盤２の中央付近には、各種表示を行い得る液晶表示部３が配置され、この液晶表示部３の下方には、本発明に係る遊技機用可変入賞装置１０が配置されている。なお、遊技機１には、遊技盤２の前方において当該遊技盤２の盤面（前面２ａ）とほぼ平行に透明板（ガラス板等）が配置され、ガイドレール５等によって区画された遊技領域内において透明板と遊技盤２との間を遊技球が流下するように構成されている。
【００１９】
次に、第１実施形態に係る遊技機用可変入賞装置１０について説明する。
図１に示すように、遊技機用可変入賞装置１０（以下、入賞装置１０ともいう）は、遊技機１の遊技盤２に固定されて用いられるものであり、その一部が遊技盤２の前方側から視認可能となるように露出した状態で配置されるようになっている。なお、第１実施形態に係る構成としては、図９、図１０に示す第１の例（回動体３０，３１等を有さない構成）と、図２〜図８、図１１〜図１４に示す第２の例（回動体３０，３１等を有する構成）とが挙げられる。まずは、図９、図１０に示す第１の例（代表例）について説明する。
【００２０】
（第１実施形態の代表例）
以下、図９、図１０に示す第１の例（代表例）について説明する。なお、代表例の構成は、回動体３０，３１等が省略され、例えば図２（Ａ）に示す回動片３２，３３の位置に立壁（側壁）が設けられた構成となっている点が後述の変更例（図２〜図８等）と異なり、それ以外は変更例と同様である。よって、以下の説明では、図２〜図８等の構成が上記のように変更されたものとして適宜図２〜図８等を参照して説明する。
【００２１】
代表例に係る入賞装置１０は、図２に示すように遊技盤２の前面２ａ（盤面：図４（Ｂ）等参照）の前方側において上方側に開放した開口形態で配される入賞口１２と、この入賞口１２を開閉する開閉部材２０を備えている。そして、開閉部材２０が図９、図１０（Ａ）等に示す閉鎖位置にあるときには、この開閉部材２０によって入賞口１２（主に上方側）が閉鎖されて遊技領域から入賞領域（入賞装置１０における内部領域）内への遊技球の進入が遮断されるようになっており、開閉部材２０が開放位置（図１０（Ｂ）等）にあるときには、入賞口１２が開放されて遊技領域から入賞領域への遊技球の進入が許容されるようになっている。
【００２２】
本明細書において、「前後方向」とは、遊技盤２の前面２ａと直交する方向を意味し、前面２ａに対し遊技者が位置するべき側を前方側、それとは反対側（即ち、遊技機１奥側）を後方側とする。また、「上下方向」とは、前後方向と直交する方向であって遊技球が流下する方向を意味する。また、「左右方向」とは、上記「前後方向」及び「上下方向」と直交する横方向を意味する。なお、図４では、遊技盤２の前面２ａ（盤面）及び後面２ｂの位置を二点鎖線にて仮想的に示している。
【００２３】
入賞装置１０は、例えば遊技機１の遊技盤２に直接的に固定されて用いられるものであり、図５〜図８に示すように、遊技盤２の前面２ａに沿って流下する遊技球を下方側に進入させつつ取り込む入賞口１２（図２等参照）が形成されてなる筐体８０と、前後方向に沿ってスライドし得るように筐体８０に支持されてなる開閉部材２０と（図２等参照）、駆動力を生じさせるソレノイド６０（駆動源）と、ソレノイド６０の駆動力を受けて開閉部材２０をスライド動作させる伝達機構５０とを備えている。以下、入賞装置１０を構成するこれら部品等について詳述する。
【００２４】
まず、入賞装置１０の外郭をなす筐体８０について説明する。
図５〜図８に示すように、筐体８０は、遊技盤２に直接又は他部材を介して間接的に固定され、遊技盤２の前面２ａと直交する前後方向において少なくとも遊技盤２の前方側に、遊技盤２の前面２ａに沿って流下する遊技球を下方側に進入させつつ取り込む入賞口１２が形成されてなるものである。この筐体８０は、入賞装置１０の最前面に配置されて前面側の意匠を形成すると共に入賞口１２から入賞した遊技球を受け止めるように構成される前板部８１と、遊技盤２に当接して固定される台板部８２と、後述する開閉部材２０、伝達機構５０、ソレノイド６０等を支持し収容する機能を有する前側ベース部８３及び後側ベース部８５によって構成されており、図２、図４（Ｂ）等に示すように遊技領域から遊技球を入り込ませる入賞口１２を構成すると共に、その入賞口１２に入り込んだ遊技球を導く遊技球誘導路１４を構成するように機能している。
【００２５】
前板部８１は、図５、図７に示すように、板状に構成されると共に遊技盤２の前面２ａと略平行に配される前板８１ａを備えており、この前板８１ａの下方側には後方側に突出する壁部（８１ｂ，８１ｃ等）が形成されている。この壁部の横方向中央部を構成する底壁部８１ｂは、中央部から左右方向に向かってなだらかに低くなるように傾斜して形成されており、底壁部８１ｃ，８１ｃはそれぞれ横方向中央部に向かって低くなるように傾斜して形成されている。また、この底壁部８１ｃ，８１ｃの左右両端にそれぞれ連結すると共に左右一対で配され、下方側に凸状に形成される段差部８１ｄが設けられている。この段差部８１ｄは、入賞口１２から入賞装置内（入賞領域内）に入り込んだ遊技球を後方に誘導する樋として機能している。また、上述の底壁部８１ｂ、８１ｃは、この底壁部上に落下してきた遊技球を段差部８１ｄ（樋）に誘導するための傾斜構造となっている。更に、それぞれの段差部８１ｄと連結する形態で湾曲壁部８１ｅ，８１ｅが設けられている。この湾曲壁８１ｅ，８１ｅは、後述する変更例で用いられる回動片３２，３３を収容する部分の壁であり、回動片３２，３３をガイド及び支持するように機能する。また、前板８１ａの上方側には後方側に突出して構成されると共に開閉部材２０の幅方向（左右方向）中央部分をガイド及び支持するガイド部８１ｆが形成され、このガイド部８１ｆの下方側には同様に後方側にボス８１ｇが突出する形態をなしている。
【００２６】
台板部８２は、図５、図７に示すように、遊技盤２の前面２ａ（盤面：図４参照）に固定される構成でこの前面２ａに沿って配される板状の台板８２ａと、この台板８２ａから後方側に延びる板状のカバー部８２ｂとを備えている。上述の前板部８１は、ボス８１ｇが台板８２ａの前面側に当接し、この状態でねじ等の締結部材によって台板８２ａに固定されるようになっている。このように、前板８１ａの幅方向中央部且つ上端部付近と台板８２ａの幅方位中央部且つ上端部付近とが締結されるため、安定して開閉部材２０をガイド及び支持できるようになっている。なお、図６〜図９等では図示を省略しているが、他の部分もねじ等によって締結されている。例えば、前板部８１に形成されたねじ孔８１ｈ，８１ｈに対して台板部８２に形成されたねじ孔８２ｈ，８２ｈがそれぞれ合わせられ、それぞれの部分が図示しないねじによって挿し通されて固定されるようになっている。
【００２７】
前側ベース部８３及び後側ベース部８５は、後述するソレノイド６０や伝達機構５０を収容して保持するように機能する部分であり、ねじ等の締結部材によって互いに固定されると共に、ねじ等の締結部材によって台板８２ａの後面側に固定されるようになっている。このように構成される前板部８１、台板部８２、前側ベース部８３及び後側ベース部８５が一体的に結合して筐体８０を構成しており、各種部品を保持すると共に内部に遊技球の流路を構成するようになっている。
【００２８】
このように構成される筐体８０において、前板部８１の前板８１ａと台板部８２の台板８２ａとによって上方側に開放した形態で開口状の入賞口１２が形成されている。この入賞口１２は、遊技球を進入させて誘導する誘導口として構成される部分であり、上方側から当該入賞口１２に向かって落下してきた遊技球を装置内（入賞領域）に入り込ませて入賞させるように機能している。そして、底壁部８１ｂ、８２ｃは、入賞口１２から進入してきた遊技球をその上部で受けたときに、それぞれの傾斜の向きに従って遊技球を段差部８１ｄ，８２に流すように機能している。
【００２９】
また、図４（Ｂ）に示すように、入賞口１２の下方側には、底壁部８１ｂ，８１ｃに続く球通路として、遊技球を誘導する遊技球誘導路１４が構成されている。遊技球誘導路１４は、前板部８１の前板８１ａと台板部８２の台板８２ａによって前方側の誘導路が構成され、この誘導路の一部（段差部８１ｄ，８１ｄ）にそれぞれ続く構成で、前側ベース部８３における角筒状の筒状部８３ｄ，８３ｄが誘導路として構成され、さらにこれら筒状部８３ｄ，８３ｄにそれぞれ続く構成で、後側ベース部８５における角筒状の筒状部８５ｄ，８５ｄが誘導路として構成されている。このように段差部８１ｄ、筒状部８３ｄ、筒状部８５ｄが前後に連続するように接続されることで、前後方向に延びる流路を形成している。これらの誘導路の底壁はそれぞれ、後方側になるにつれて低くなるように傾斜した構成となっており、入賞口１２から入り込んだ遊技球が底壁を転がることで、入賞装置１０の後方に導かれるようになっている。
【００３０】
また、前板部８１の段差部８１ｄの上部には、検出センサ７０の貫通孔７０ａ側が配置されており、遊技球誘導路１４に流入してきた遊技球が貫通孔７０ａ内を通るようになっている。なお、検出センサ７０は公知の球検出センサとして構成されており、遊技球が貫通孔７０ａ内を通過したときに検出信号を発するようになっている。
【００３１】
次に、開閉部材２０、伝達機構５０、ソレノイド６０について説明する。
開閉部材２０は、前後方向に沿ってスライドするように筐体８０に直接又は他部材を介して間接的に支持され、少なくとも自身の一部を遊技盤２の遊技盤２の前面２ａ（盤面）の前方側に配置して入賞口１２を閉鎖する閉鎖位置（図２〜図４、図９、図１０（Ａ）等）と、その閉鎖位置のときよりも後方側に退避して入賞口１２を開放する開放位置（図１０（Ｂ）等）との間でスライド動作するように配置されている。
【００３２】
この開閉部材２０は、図６等に示すように、湾曲板状に構成された閉鎖部２０ａを備えており、閉鎖部２０ａの一方の面（上方側の面）が上面部として構成されている。また、湾曲板状に構成された閉鎖部２０ａの後端縁を連結する形態で壁部２０ｆが形成されている。壁部２０ｆは、上部が湾曲した蒲鉾状に構成されており、この壁部２０ｆの円弧状の上端部から前方に突出する形態で閉鎖部２０ａが設けられている。そして、閉鎖部２０ａの上面部には、上方に突出した形態で且つ前後方向に延びる突起形状のガイド突起２０ｂが形成されている。また、図６、図９等に示すように、閉鎖部２０ａの後方側の端部から後方に向かって延出する左右一対の延出部２０ｃ，２０ｃが設けられている。更に、左右一対の延出部２０ｃ，２０ｃを橋渡すように左右方向に軸状に延びるロック受け部２０ｅ及び被作用部２０ｄが設けられている。そして、開閉部材２０は、この被作用部２０ｄが後述する第１伝達部材５１からの作用を受けて前後動するようになっており、この被作用部２０ｄの前後動作と連動して閉鎖部２０ａが前後動するようになっている。
【００３３】
本実施形態では、図８等に示すように、開閉部材２０に形成された一対の延出部２０ｃ，２０ｃが、後側ベース部８５のガイド部８５ｂに嵌り込んで支持されるようになっており、開閉部材２０に形成された閉鎖部２０ａは、台板部８２に形成された開口部８２ｄに挿入される構成でこの開口部８２ｄ内を通って前後に移動するように支持されている。また、板状の支持部材２４が延出部２０ｃ，２０ｃの上方側において固定構造で設けられており、この板状の支持部材２４によって延出部２０ｃ，２０ｃの上側が規制されるようになっている。そして、開閉部材２０の動作時には、ガイド部８５ｂによって延出部２０ｃ，２０ｃの左右方向の移動が規制されると共に支持部材２４によって延出部２０ｃ，２０ｃの上方側への移動が規制され、開口部８２ｄによって閉鎖部２０ａの左右方向及び上下方向の移動が規制されるため、開閉部材２０は前後への移動（スライド動作）のみが許容される。このとき、開閉部材２０の上面に形成されるガイド突起２０ｂ（図６）は、台板部８２に形成されたカバー部８２ｂ（図７）のガイド溝８２ｃ（図７）に沿ってガイド溝８２ｃ内を前後に移動するようになっている。また、図９等に示すように延出部２０ｃ，２０ｃは支持部材２４に沿って前後に移動するようになっている。
【００３４】
各ソレノイド６０は、図６、図８等に示すように、励磁状態と非励磁状態とに切り替え可能なコイル部６１と、このコイル部６１によって駆動される磁性体のプランジャ６２とを備えており、各プランジャ６２は、コイル部６１が非励磁状態のときに所定量突出した突出位置（図９、図１０（Ａ））となり、コイル部６１が励磁状態のときに突出状態のときよりも突出量が小さい没入位置（図１０（Ｂ））となるように進退可能とされている。また、各プランジャ６２は、図６、図８のように一端側の端部にフランジ部６３が形成されており、他端側がコイル部６１内に挿入されている。そして、プランジャ６２の周囲且つフランジ部６３とコイル部６１の間にはフランジ部６３をコイル部６１から離間する方向に付勢するコイルばねが配置されている（図示略）。
【００３５】
このように構成される各ソレノイド６０は、コイル部６１か非励磁状態のときには、図示しないコイルばねの付勢によりプランジャ６２がある程度コイル部６１の外側に押し出された位置となり（図９、図１０（Ａ））、コイル部６１が励磁状態のときには、図示しないコイルばねの付勢に抗してプランジャ６２がコイル部６１内に引き込まれるようになっている（図１０（Ｂ））。なお、本実施形態では、図６、図８等に示すように、ソレノイド６０を２個設けており、これらを同時期に励磁状態又は非励磁状態とすることで左右一対のプランジャ６２，６２によって安定的に変換部材４０を上下動させているが、１個のソレノイド６０によって変換部材４０を上下動させる構成としてもよい。
【００３６】
次に、伝達機構５０について説明する。
伝達機構５０は、前後方向と交差する方向（例えば、左右方向）の回動軸線Ｇ１回りに回動可能に保持され且つ開閉部材２０に連係して該開閉部材２０を閉鎖位置と開放位置との間で変位させるようにスライド動作させる第１伝達部材５１と、回動軸線Ｇ１に平行（例えば左右方向）して配置された回動軸線Ｇ３回りに回動可能に保持され且つ第１伝達部材５１と連係される第２伝達部材５２と、一対のプランジャ６２，６２に装着され且つソレノイド６０の駆動力を第２伝達部材５２の回動動作に変換するための変換部材４０とを備えている。これにより、伝達機構５０は、ソレノイド６０の駆動力が変換部材４０及び第２伝達部材５２を介して第１伝達部材５１に伝達され、第１伝達部材５１が回動するように構成されており、当該第１伝達部材５１の回動動作に連係させて開閉部材２０をスライド動作させ、開閉部材２０を閉鎖位置と開放位置とで変位させるように構成されている。
【００３７】
第１伝達部材５１は、図４（Ｂ）、図８、図９、図１０等に示すように、長手状の形態をなし、長手方向の中心付近に形成される回動軸５１ａで連結される第１延出部５１ｂと第２延出部５１ｃとを備えている。図６に示すように、後側ベース部８５には、この第１伝達部材５１の回動軸５１ａを回動中心として支持するように第１切欠部８５ｅ,８５ｅが形成されており、第１伝達部材５１はこれら第１切欠部８５ｅ,８５ｅに回動軸５１ａが支持された構成で回動軸線Ｇ１を中心として回動するようになっている。そして、図９、図１０のように、第１延出部５１ｂは回動軸５１ａを中心とする半径方向に延出しており、第２延出部５１ｃは回動軸５１ａを中心とする半径方向であって第１延出部５１ｂとは異なる方向に延出している。第１延出部５１ｂの延出方向の延出方向端部（先端部）には、回動軸線Ｇ１側に凹むＵ字状の作用部５１ｄが形成されており、第２延出部５１ｃの延出方向端部（先端部）には、回動軸線Ｇ２と平行に延び、２つの第２延出部５１ｃ，５１ｃの先端部を連結する軸状の被作用部５１ｇが形成されている。
【００３８】
図１０に示すように、第１伝達部材５１における開閉部材２０側の先端部分には、少なくとも一部が開閉部材２０の被作用部２０ｄよりも前方側に位置する第１押圧部５１ｅと、少なくとも一部が被作用部２０ｄよりも後方側に位置する第２押圧部５１ｆとが形成されている。そして、第１押圧部５１ｅは、第１伝達部材５１の回動に応じて先端側が後方へ移動することに伴い被作用部２０ｄを後方側に押圧するように作用する。また、第２押圧部５１ｆは、当該第１伝達部材５１の先端側が前方へ移動することに伴い被作用部２０ｄを前方側に押圧するように作用する。このような第１押圧部５１ｅと第２押圧部５２ｆとによって作用部５１ｄが構成されている。
【００３９】
また、本実施形態では、図１０に示すように開閉部材２０においてロック受け部２０ｅが被作用部２０ｄよりも前方側に配置されており、第１押圧部５１ｅの先端部がロック部５１ｈとして構成されている。このロック部５１ｈは、外面が平坦面（より詳しくは回転軸線Ｇ１を中心とする半径方向と略直交する平坦面）として構成されており、図１０（Ａ）のように開閉部材２０が閉鎖位置にあるときには、第１伝達部材５１の作用部５１ｄ側が回動軸線Ｇ１を通り且つ前後方向と直交する仮想平面Ｃよりも前側に倒れ、ロック部５１ｈの上面がロック受け部２０ｅの後方位置且つ仮想平面Ｃの前側において上方側且つやや前側を向くように配されるようになっている。逆に、図１０（Ｂ）のように開閉部材２０が開放位置にあるときには、第１伝達部材５１の作用部５１ｄ側が回動軸線Ｇ１を通り且つ前後方向と直交する仮想平面Ｃよりも後ろ側に倒れ、ロック部５１ｈの上面が仮想平面Ｃの後ろ側において上方側且つやや後ろ側を向くように配されるようになっている。また、ロック部５１ｈは、回動軸線Ｇ１を中心として回動するようになっており、回動時には図１０（Ａ）等に示す回動軌跡Ｄを通って変位するようになっている。この回動軌跡Ｄは、開閉部材２０が閉鎖位置にあるとき（図１０（Ａ））又は開放位置にあるとき（図１０（Ｂ））には、ロック受け部２０ｅの下端部付近の位置であり、ロック部５１ｈが回動軸線Ｇ１の真上に位置するときにはロック受け部２０ｅの上端部付近又は上端部よりも高い位置になるように設定されている。すなわち、ロック部５１ｈの回動軌跡と、ロック受け部２０ｅの前後方向の変位軌跡とが交差するように形成されている。これにより、相互の変動のタイミングによって、図１０（Ｃ）のようにロック部５１ｈの上側にロック受け部２０ｅを位置させることで、ロック受け部２０ｅがロック部５１ｈを受け止めて、ロック部５１ｈの回動（上移動）を規制し、ひいては第１伝達部材５１の回動を規制して開閉部材２０のロック機構を構成する。
【００４０】
このように構成される第１伝達部材５１は、開閉部材２０と連動可能に構成され、第２伝達部材５２から作用を受けて開閉部材２０を閉鎖位置と開放位置とで変位させるように機能している。具体的には、図８、図９（Ａ）等に示すように、第１伝達部材５１の被作用部５１ｇが、第２伝達部材５２の作用部５２ｄと嵌合状態（遊嵌状態）で連結しており、第２伝達部材５２の回動動作に伴う作用部の回動変位と連動して被作用部５１ｇが回動変位することで第１伝達部材５１全体が回動動作するようになっている。このような回動軸線Ｇ１を中心とする回動動作により、図４（Ｂ）、図９、図１０（Ａ）に示すような回動位置（図１０（Ｂ）等に示す位置に対し右側方から見て反時計回りに回転した第１回動位置）と、図１０（Ｂ）等に示すような回動位置（図１０（Ａ）等に示す位置に対し右側方から見て時計回りに回転した第２回動位置）とに切り替わるようになっている。
【００４１】
そして、このような第１伝達部材５１の回動動作が開閉部材２０の直進動作に変換されるようになっている。上述したように、開閉部材２０は、前後方向に往復動可能となるように保持されており、この開閉部材２０には、開閉部材２０が閉鎖位置と開放位置とで変位する際に前後方向に変位する被作用部２０ｄが形成されている。そして、この被作用部２０ｄが伝達機構５０に形成された作用部５１ｄの作用を受けるようになっている。具体的には、第１延出部５１ｂがある程度長く構成され、作用部５１ｄが回動軸線Ｇ１からある程度遠い位置となっているため、第１伝達部材５１の回動動作に伴って作用部５１ｄが前後方向に往復動し、これと嵌合（遊嵌）する被作用部２０ｄも第１伝達部材５１の回動動作に伴って前後方向に往復動する。
【００４２】
第２伝達部材５２は、図１０等に示すように、全体としてＶ字状（へ字状）の形態をなし、その屈曲部分で連結される第１延出部５２ｂと第２延出部５２ｃとを備えている。図６に示すように、後側ベース部８５には、この第２伝達部材５２の回動軸５２ａを回動中心として支持するように第２切欠部８５ｆ,８５ｆが形成されており、第２伝達部材５２は回動軸５２ａがこれら第２切欠部８５ｆ,８５ｆに支持された構成で回動軸線Ｇ３を中心として回動するようになっている。そして、図９、図１０のように、第１延出部５２ｂは回動軸５２ａを中心とする半径方向に延出しており、第２延出部５２ｃは回動軸５２ａを中心とする半径方向であって第１延出部５２ｂとは異なる方向に延出している。第１延出部５２ｂの延出方向の延出方向端部（先端部）には、回動軸線Ｇ３側に凹むＵ字状の作用部５２ｄが形成されており、第２延出部５２ｃの延出方向端部（先端部）には、回動軸線Ｇ３側に凹むＵ字状の被作用部５２ｅが形成されている。
【００４３】
このように構成される第２伝達部材５２は、第１伝達部材５１と連動可能に構成され、変換部材４０から作用を受けて第１伝達部材５１を第１回動位置と第２回動位置とで変位させるように機能している。具体的には、図９等に示すように、第２伝達部材５２の被作用部５２ｅが、変換部材４０の作用部４０ａと嵌合状態（遊嵌状態）で連結しており、変換部材４０の直線動作に伴う作用部４０ａの直線変位と連動して被作用部５２ｅが回動変位することで第２伝達部材５２全体が回動動作するようになっている。そして、このように第２伝達部材５２は、変換部材４０の変位に応じて回動軸線Ｇ３を中心として回動し、図４（Ｂ）、図９、図１０（Ａ）に示すような回動位置と、図１０（Ｂ）等に示すような回動位置とに切り替わるようになっている。そして、このような第２伝達部材５２の回動動作が第１伝達部材５１の回動動作に変換され、この第１伝達部材５１が上述のように回動する。
【００４４】
次に、上述した遊技機用可変入賞装置１０の通常動作について説明する。
上述したように、第１伝達部材５１には、当該第１伝達部材５１が回動変位する際に開閉部材２０のロック受け部２０ｅの変位軌跡（即ち、前後方向の移動経路）と交差する回動軌跡Ｄに沿って回動変位するロック部５１ｈが形成されている。ロック部５１ｈは、図１０（Ａ）のような位置からやや上方且つ後方に向かいながら回動し、回動軸線Ｇ１よりも後側ではやや下方且つ後方に向かいながら回動して図１０（Ｂ）の位置に至るように構成されている。なお、逆も同様の経路となる。また、このロック部５１ｈの回動軌跡Ｄは、回動軸線Ｇ１の真上の位置が頂上（最も高い位置）となるように構成されている。
【００４５】
そして、開閉部材２０が閉鎖位置にある状態でソレノイド６０の駆動力により第１伝達部材５１が回動する際には、図１０（Ａ）のように第１伝達部材５１の動作開始に伴うロック部５１ｈの後方移動により当該ロック部５１ｈの移動方向（回動軌跡におけるロック部５１ｈの移動先）からロック受け部２０ｅが外れ、この状態で第１伝達部材５１が回動する。具体的には、開閉部材２０が閉鎖位置にある状態でソレノイド６０の駆動力により第１伝達部材５１が回動すると、その回動に応じた第１押圧部５１ｅの後方移動に伴い、まず図１０（Ａ）のように第１押圧部５１ｅは被作用部２０ｄに当接する位置まで変位し、この状態で被作用部２０ｄを後方側に押すことになる。そして、第１伝達部材５１の更なる回動動作に伴い、第１押圧部５１ｅの先端に位置するロック部５１ｈが被作用部２０ｄとロック受け部２０ｅとの間に入り込むように上方側に移動しつつ後方側に移動することになり、このような第１押圧部５１ｅの動作と連係して開閉部材２０が開放位置に切り替わる（図１０（Ｂ））。つまり、ロック受け部２０ｅよりも先にロック部５１ｈが回動軌跡Ｄを移動するため、ロック受け部２０ｅがロック部５１ｈによって阻害されず、開閉部材２０は問題なく後方位置（開放位置）に移動することになる。
【００４６】
次に、ロック機構（ロック時の動作）について説明する。
ロック機構は、主としてロック受け部２０ｅとロック部５０ｈとによって実現されている。図１０（Ａ）のように開閉部材２０が閉鎖位置にある状態で開閉部材２０を開放位置に変位させようとする外力が加えられた場合には、その外力に伴って開閉部材２０が伝達機構５０を動かそうとする際に、図１０（Ｃ）のようにロック受け部２０ｅがロック部５１ｈよりも先に回動軌跡Ｄ上に入り込み、ロック部５１の移動を阻害することになる。具体的には、図１０（Ｃ）のように開閉部材２０に設けられたロック受け部２０ｅが、第１押圧部５１ｅの先端に設けられたロック部５１ｈの前方側且つ上方側で当該ロック部５１ｈに当接する。このとき、ロック部５１は、構造上、上方側に移動しなければ後方側に回動できないが、ロック部５１の上方への移動は、ロック部５１の上方且つ前側に当接するロック受け部２０ｅ（前後方向のみに移動し得る部分）によって規制されるため、ロック部５１の行き場がなくなることになる。このため、ロック部５１は、ロック受け部２０ｅからの押圧力を受けても図１０（Ｃ）のような当接位置に位置し続けることになり、第１伝達部材５１はそれ以上後方側へ回動できなくなる。従って、不正操作によって開閉部材２０を後方側に強制的に移動させようとしても図１０（Ｃ）のような当接位置よりも後方に変位することが阻止される。
【００４７】
（第１実施形態の変更例）
次に、第１実施形態の変更例について説明する。
図２〜図８、図１１〜図１４に示す第２の例（変更例）は、主として回動体３０，３１を加えた点が上記第１の例（代表例）と異なっており、それ以外は上記第１の例（代表例）と同様である。よって同様の構成については代表例と同一の符号を付し、詳細な説明は省略する。
【００４８】
この変更例に係る入賞装置１０も、図１のように遊技機１の遊技盤２に直接的に固定されて用いられるものであり、図５〜図８に示すように、遊技盤２の前面２ａに沿って流下する遊技球を下方側に進入させつつ取り込む入賞口１２（図２等参照）が形成されてなる筐体８０と、前後方向に沿ってスライドし得るように筐体８０に支持されてなる開閉部材２０と（図２等参照）、図１１等に示すように遊技盤２の前面２ａと交差する回動軸線Ｇ２，Ｇ２（図１１等参照）を中心として回動し得るように筐体８０に支持されてなる回動体３０，３１と、駆動力を生じさせるソレノイド６０（駆動源）と、ソレノイド６０の駆動力を受けて開閉部材２０をスライド動作させる伝達機構５０とを備えている。なお、筐体８０、開閉部材２０、ソレノイド６０、伝達機構５０については上記代表例と同様の構成となっている。
【００４９】
変更例の入賞装置１０で用いられる回動体３０，３１は、左右に離れて配置され、図１１等に示すように閉鎖位置にある開閉部材２０の左右両端部の下方にそれぞれ位置するようになっており、上記開閉部材２０と連動しうるようになっている。そして、図２（Ａ）、図１１、図１３（Ａ）等に示す第１回動位置にあるときには、この回動体３０，３１によって入賞口１２（主に側方側）が閉鎖されて遊技領域から装置内への遊技球の進入が遮断され、開閉部材２０が第２回動位置（図１２、図１３（Ｂ）等）にあるときには、入賞口１２が開放されて遊技領域から装置内への遊技球の進入が許容されるようになっている。
【００５０】
回動体３０，３１は、台板部８２を構成する台板８２ａの前方側に配置され、図１１〜図１３のように、少なくとも自身の一部を遊技盤２の盤面の前方側に配置した状態で遊技盤２の前面２ａと直交する回動軸線Ｇ２,Ｇ２を中心として回動するように筐体８０に支持されている。そして、入賞口１２における遊技球の受け入れ状態を所定の抑制状態（相対的に遊技球が進入し難い状態）とする第１回動位置（図１１、図１３（Ａ）、図１４（Ａ））と、この抑制状態のときよりも遊技球が進入し易い状態とする第２回動位置（図１２、図１３（Ｂ）、図１４（Ｃ））とに切り替わるようになっている。
【００５１】
また、図５、図７に示すように、回動体３０，３１は、それぞれ長手状の回動片３２，３３を備えており、これら回動片３２，３３の後方側の中心付近から後方に突出するように突起部３２ａ，３３ａがそれぞれ形成されている。この突起部３２ａ，３３ａは、それぞれが台板部８２に形成された長孔状のガイド孔８２ｅ,８２ｅに挿し通され、回動軸線Ｇ２,Ｇ２を中心として回動する際に、突起部３２ａ，３３ａがガイド孔８２ｅ,８２ｅ内を移動するようになっている。ガイド孔８２ｅ,８２ｅは、突起部３２ａ，３３ａの移動を案内すると共にこの突起部３２ａ，３３ａの移動範囲を規定しており、これにより回動体３０，３１がそれぞれ所定の角度範囲（第１回動位置と第２回動位置との間で変位する範囲）で回動することとなる。
【００５２】
また、回動体３０，３１は、遊技盤２の前面２ａと略直交して台板部８２の裏側へ突出する円形棒状の回動軸３４，３５を備えている。この回動軸３４，３５は、それぞれ前端部が回動片３２，３３に固定されるようになっており、それぞれ後端部がカム部材３７，３８に固定されるようになっている。また、カム部材３７，３８のそれぞれには、回動軸３４，３５の中心から外れた位置に「回動片側被作用部」としての操作ピン３７ａ，３８ａが形成されており、操作ピン３７ａ，３８ａが回動軸線Ｇ２，Ｇ２を中心としてそれぞれ回動体３０，３１と一体的に回動するようになっている。なお、この操作ピン３７ａ，３８ａは、例えばカム部材３７，３８に圧入、或いは金属ピンをインサートして成形されており、操作ピン３７ａ，３８ａは、回動軸線Ｇ２，Ｇ２を中心とする回動体３０，３１の重心が各操作ピン３７ａ，３８ａ側になるように重さが調整されている。そして、回動体３０は、背面視したときの反時計回りに回動する方向（先端側が相手側の回動体３１に近づく回動方向）に付勢され、回動体３１は、背面視したときの時計回りに回動する方向（先端側が相手側の回動体３０に近づく回動方向）に付勢されるようになっている。即ち、回動体３０，３１は、回動片３２，３３を起立させる方向に付勢されるようになっている。具体的には、ソレノイド６０，６０に設けられたばね（プランジャ６２，６２を突出方向に付勢するばねであり、図１４では図示略）とプランジャ６２，６２の重みによって変換部材４０が下方側に付勢されており、この下方側への付勢に応じた操作ピン３７ａ，３８ａへの作用によって回動体３０，３１が付勢されている。そして、このように回動片３２，回動軸３４、カム部材３７が一体化してなる回動体３０と、回動片３３，回動軸３５、カム部材３７が一体化してなる回動体３１とが、それぞれ台板部８２に形成された孔部８２ｇ，８２ｇ及び前側ベース部８３に形成された孔部８３ａ，８３ａに回動可能に支持されており（具体的には、孔部８２ｇ，８２ｇに設けられた各軸受３６及び孔部８３ａ，８３ａ側に設けられた各軸受３６を介して筐体８０に回動可能に支持されており）、それぞれが回動軸線Ｇ２，Ｇ２を中心として回動するようになっている。
【００５３】
また、変更例で用いられる変換部材４０は、代表例で説明した上述の機能（第２伝達部材５２と連係する機能等）に加え、ソレノイド６０の駆動力を回動体３０，３１の回動動作に変換する機能も有している。この変換部材４０は、図６、図８に示すように、長板状に形成され、上面部の後端側に切欠部４０ｂ,４０ｂが形成されており、これら切欠部４０ｂ,４０ｂに各プランジャ６２,６２のフランジ部６３,６３が嵌め込まれるようになっている。このように連結されているため、各プランジャ６２,６２が同時期に引き込まれたときには、これに連動して変換部材４０が上方に移動し、各プランジャ６２,６２が同時期に突出位置に戻るときにはこれに連動して変換部材４０が下方に移動するようになっている。
【００５４】
また、変換部材４０の左右両側には、変換部材４０の直線動作（上下動作）をカム部材３７,３８の回転動作に変換するための係合孔４０ｃ，４０ｃがそれぞれ形成されている。これら係合孔４０ｃ，４０ｃは、「変換部材側作用部」の一例に相当し、前後に貫通する貫通孔として構成されており、前後方向を軸方向（突出方向）とする操作ピン３７ａ,３８ａがそれぞれ挿入（遊挿）されるように配されている。そして、これら係合孔４０ｃ，４０ｃは、図１４（Ａ）等に示すように、それぞれに挿入される操作ピン３７ａ,３８ａが各係合孔４０ｃ,４０ｃ内である程度左右方向に相対移動しうるサイズ（具体的には、回転するときの左右方向の変位を許容するだけの孔幅であり、例えば、それぞれに挿入される操作ピン３７ａ,３８ａよりも２倍程度に大きい孔幅）で形成されており、それぞれに挿入される操作ピン３７ａ,３８ａが各係合孔４０ｃ,４０ｃ内である程度上下方向に相対移動しうるサイズ（それぞれに挿入される操作ピン３７ａ,３８ａよりも２倍程度に大きい孔高さ）で形成されている。
【００５５】
そして、更に、係合孔４０ｃ，４０ｃのそれぞれの内部には、ソレノイド６０の非駆動時において操作ピン３７ａ,３８ａの回動を阻止するように規制する規制部（変換部材側ロック部４０ｄ,４０ｄ）が段状に形成されている。本実施形態では、回動体３０，３１と連動する構成で変換部材４０から作用を受ける操作ピン３７ａ,３８ａ（回動片側被作用部）が形成されており、これら操作ピン３７ａ,３８ａは、各回動体３０，３１が第１回動位置と第２回動位置とで変位する際に所定の回動軌跡に沿って回動変位するようになっている。一方、変換部材側ロック部に相当する係合孔４０ｃ，４０ｃは、操作ピン３７ａ,３８ａ（回動片側被作用部）の回動軌跡と交差する変位軌跡（上下方向の変位軌跡）に沿って変位するようになっている。
【００５６】
この構成では、外側の内壁部４０ｅ,４０ｅが上下に平坦に形成されており、各係合孔４０ｃ，４０ｃの上端側では外側の内壁部４０ｅ,４０ｅと各変換部材側ロック部４０ｄ,４０ｄとが狭い幅で対向している。また、各係合孔４０ｃ，４０ｃの下端側では外側の内壁部４０ｅ,４０ｅと、各変換部材側ロック部４０ｄ,４０ｄよりも下側に配される内側の内壁部４０ｆ,４０ｆとが上端側よりも広い幅で対向している。なお、ここでは、変換部材側作用部として係合孔４０ｃ,４０ｃを例示したが、必ずしも環状孔に限定されるものではなく、側方が開放する正面視コ字状又は反コ字状に形成し、このような変換部材側作用部内に変換部材側ロック部４０ｄ,４０ｄと同様の構成を段状に設けるようにしてもよい。また、変換部材４０には、左右方向中央に左右に延びる棒状の作用部４０ａが形成されており、図４（Ｂ）等に示すように、第２伝達部材５２の被作用部５２ｅ（後述）に作用するようになっている。
【００５７】
このように、回動体３０，３１を軸受により略水平に支持しつつ、カム部材３７，３８の操作ピン３７ａ，３８ａを変換部材４０の係合孔４０ｃ，４０ｃに遊挿してソレノイド６０と回動体３０，３１とを連係させている。また、図１４（Ａ）のように、回動体３０，３１が閉鎖位置（第１回動位置）にあるときには、各操作ピン３７ａ，３８ａのすぐ横に変換部材側ロック部４０ｄ，４０ｄが隣接し、変換部材側ロック部４０ｄ，４０ｄが各操作ピン３７ａ，３８ａの回動を規制するようになっており、これにより、各操作ピン３７ａ，３８ａが無用に回動しないようになる。
【００５８】
次に、変更例に係る入賞装置１０の通常動作について説明する。
開閉部材２０の開閉動作は代表例と同様であり、開閉部材２０が閉鎖位置にある状態でソレノイド６０の駆動力により第１伝達部材５１が回動する際には、図１０（Ａ）、図１０（Ｂ）と同様、第１伝達部材５１の動作開始に伴うロック部５１ｈの後方移動により当該ロック部５１ｈの移動方向（回動軌跡におけるロック部５１ｈの移動先）からロック受け部２０ｅが外れ、この状態で第１伝達部材５１が回動する。具体的には、開閉部材２０が閉鎖位置にある状態でソレノイド６０の駆動力により第１伝達部材５１が回動すると、その回動に応じた第１押圧部５１ｅの後方移動に伴い、まず図１０（Ａ）のように第１押圧部５１ｅは被作用部２０ｄに当接する位置まで変位し、この状態で被作用部２０ｄを後方側に押すことになる。そして、第１伝達部材５１の更なる回動動作に伴い、第１押圧部５１ｅの先端に位置するロック部５１ｈが被作用部２０ｄとロック受け部２０ｅとの間に入り込むように上方側に移動しつつ後方側に移動することになり、このような第１押圧部５１ｅの動作と連係して開閉部材２０が開放位置に切り替わる（図１０（Ｂ））。つまり、ロック受け部２０ｅよりも先にロック部５１ｈが回動軌跡Ｄを移動するため、ロック受け部２０ｅがロック部５１ｈによって阻害されず、開閉部材２０は問題なく後方位置（開放位置）に移動することになる。
【００５９】
また、図１１、図１３（Ａ）、図１４（Ａ）のように回動体３０，３１が第１回動位置にある状態でソレノイド６０の駆動力により変換部材４０が上方側に変位する際には、図１４（Ａ）から図１４（Ｂ）のように、まず始めに変換部材４０が上昇するように動作し、変換部材側ロック部４０ｄ，４０ｄが各操作ピン３７ａ，３８ａ（回動片側被作用部）の回動軌跡上から外れるように変換部材４０が上方に移動した上で図１４（Ｃ）のように係合孔４０ｃ，４０ｃ（変換部材側被作用部）の下側の内壁が各操作ピン３７ａ，３８ａ（回動片側被作用部）に作用し、その作用に応じて回動体３０，３１が第２回動位置に変位することになる。
【００６０】
次に、変更例に係る入賞装置１０のロック機構（ロック時の動作）について説明する。
開閉部材２０のロック機構は上記代表例と同様であり、図１０（Ａ）のように開閉部材２０が閉鎖位置にある状態で開閉部材２０を開放位置に変位させようとする外力が加えられた場合には、その外力に伴って開閉部材２０が伝達機構５０を動かそうとする際に、図１０（Ｃ）のようにロック受け部２０ｅがロック部５１ｈよりも先に回動軌跡Ｄ上に入り込み、ロック部５１の移動を阻害することになる。具体的には、図１０（Ｃ）のように開閉部材２０に設けられたロック受け部２０ｅが、第１押圧部５１ｅの先端に設けられたロック部５１ｈの前方側且つ上方側で当該ロック部５１ｈに当接する。このとき、ロック部５１は、構造上、上方側に移動しなければ後方側に回動できないが、ロック部５１の上方への移動は、ロック部５１の上方且つ前側に当接するロック受け部２０ｅ（前後方向のみに移動し得る部分）によって規制されるため、ロック部５１の行き場がなくなることになる。このため、ロック部５１は、ロック受け部２０ｅからの押圧力を受けても図１０（Ｃ）のような当接位置に位置し続けることになり、第１伝達部材５１はそれ以上後方側へ回動できなくなる。従って、不正操作によって開閉部材２０を後方側に強制的に移動させようとしても図１０（Ｃ）のような当接位置よりも後方に変位することが阻止される。
【００６１】
また、図１４（Ａ）のように回動体３０，３１が第１回動位置にある状態で回動体３０，３１を第２回動位置に変位させようとする外力が加えられた場合には、その外力に応じて回動体３０，３１と連動しようとする操作ピン３７ａ，３８ａ（回動片側被作用部）が変換部材４０を持ち上げようとしながら係合孔４０ｃ，４０ｃの上側の内壁に沿うように変換部材側ロック部４０ｄ，４０ｄに向けて動くため、それら操作ピン３７ａ，３８ａの回動軌跡上に変換部材側ロック部４０ｄ，４０ｄが位置し続けることになる。つまり、図１４（Ａ）のような状態で、回動体３０，３１を強制的に回動させようとしても、各操作ピン３７ａ，３８ａ（回動片側被作用部）が内側に移動しようとしたときに変換部材側ロック部４０ｄ，４０ｄに当接することになるため、それ以上各操作ピン３７ａ，３８ａを回動させることはできない。従って、各操作ピン３７ａ，３８ａ及び回動体３０，３１の回動が規制され、回動体３０，３１が第２回動位置に変位することが阻止される。また、この変更例に係る入賞装置１０では、開閉部材２０及び回動体３０，３１に対して共通の駆動源（ソレノイド６０）を用いて開閉動作を行う一方で、開閉部材、回動体のそれぞれに独立してロック機構が形成されているため、正常時には開閉部材２０及び回動体３０，３１を同時期に共通駆動源によって駆動でき、他方、開閉部材２０及び回動体３０，３１のそれぞれに不正操作による外力が働いたとしても、或いはこれらに同時に不正操作による外力が働いたとしても、確実に開放を阻止することができ、不正防止効果を一層高めることができる。
【００６２】
[他の実施形態]
本発明は上記記述及び図面によって説明した実施形態に限定されるものではなく、例えば次のような実施形態も本発明の技術的範囲に含まれる。
【００６３】
例えば、開閉部材、伝達機構、駆動源の構成を図１５のように変更してもよい。なお、これら部品の保持構成は第１実施形態と同様の構成或いはこれを変更した様々な構成を採用できる。図１５の例では、第１実施形態の開閉部材２０、伝達機構５０、ソレノイド６０等に代えて、開閉部材２２０、伝達機構２５０、ソレノイド２６０などを用いている。なお、本実施形態でも開閉部材２２０は、上下方向及び左右方向の移動が規制されつつ前後にスライド動作し得るように図示しない筐体に保持されている。
【００６４】
この構成でも、図１５のように開閉部材２２０が閉鎖位置にある状態でソレノイド２６０の駆動力により第１伝達部材２５１が回動する際に、第１伝達部材２５１の動作開始に伴うロック部２５１ｆの後方移動により当該ロック部２５１ｆの回動軌跡上からロック受け部２２０ｅが外れた状態で第１伝達部材２５１が回動するようになっている。具体的には、ソレノイド２６０は、プランジャ２６２が左右方向に往復動するように横向きに配置されており、図１５のようにソレノイド２６０が非励磁状態にある場合から励磁状態に切り替わると、プランジャ２６２がコイル部２６１側に引き込まれるのに応じてプランジャ２６２に組み付けられた変位部材２５３もコイル部２６１側に移動する。このとき、第２伝達部材２５２は、回動軸線Ｇ３を中心として所定方向（「図１５（Ｃ）で示す矢印Ｆ１方向」に回動し、これに連動して第１伝達部材２５１が所定方向（図１５（ｃ）に示す矢印Ｆ２方向）に回動する。このような第１伝達部材２５１の回動動作に応じて第１押圧部２５１ｅが後方に移動し、開閉部材２２０の被作用部２２０ｄを後方側に変位させる。そして、このような第１押圧部２５１ｅの後方移動に伴い当該第１押圧部２５１ｅの先端に位置するロック部２５１ｆは被作用部２２０ｄとロック受け部２２０ｅとの間に入り込むように移動しつつ後方側に移動することになる。そして、このような回動動作と連係して開閉部材２２０が開放位置に変位する。
【００６５】
一方、図１５のように開閉部材２２０が閉鎖位置にある状態で開閉部材２２０を開放位置に変位させようとする外力が加えられた場合には、その外力に伴って開閉部材２２０が伝達機構２５０を動かそうとする際にロック受け部２２０ｅがロック部２５１ｆの回動軌跡上に入り込んでロック部２５２ｆの移動を阻害することになる。図でも分かるように、この例でも、ロック受け部２２０ｅの変位軌跡（前後の移動経路）と交差する回動軌跡（回動軸線Ｇ１を中心とする回転経路）に沿って回動変位するようにロック部２５１ｆが形成されており、図１５（Ｃ）のような状態から開閉部材２２０が強制的に後方へ移動させられたときには、開閉部材２２０に設けられたロック受け部２２０ｅが第１押圧部２５１ｅの先端に設けられたロック部２５１ｆの前方側且つ上方側で当該ロック部２５１ｆに当接することになる。この場合も、ロック部２５１ｆが移動しようとする方向にロック受け部２２０ｅが位置し続けることになるため、ロック受け部２２０ｅとロック部２５１ｆとが当接した後にはそれ以上第１押圧部２５１ｅが後方へ移動できなくなる。従って、開閉部材２２０がその当接位置よりも後方に変位することが阻止される。
【００６６】
なお、図１等に示す例では、入賞口１２が大入賞口として機能するアタッカーとして構成された例を示すが、遊技球が入賞し得る構成であれば役物等の様々な入賞装置に適用できることは勿論である。
【符号の説明】
【００６７】
１…遊技機
２…遊技盤
２ａ…前面
１０…遊技機用可変入賞装置（入賞装置）
１２…入賞口
２０…開閉部材
２０ｄ…被作用部
２０ｅ…ロック受け部
３２，３３…回動片
３７ａ，３８ａ …操作ピン（回動片側被作用部）
４０…変換部材
４０ｃ,４０ｃ…係合孔（変換部材側作用部）
４０ｄ…変換部材側ロック部
５０…伝達機構
５１…第１伝達部材（伝達部材）
５１ｄ…作用部
５１ｅ…第１押圧部
５１ｆ…第２押圧部
５１ｈ…ロック部
６０…ソレノイド（駆動源）
Ｇ１，Ｇ２…回動軸線
【図１】
0006045186.tif 000002
【図２】
0006045186.tif 000003
【図３】
0006045186.tif 000004
【図４】
0006045186.tif 000005
【図５】
0006045186.tif 000006
【図６】
0006045186.tif 000007
【図７】
0006045186.tif 000008
【図８】
0006045186.tif 000009
【図９】
0006045186.tif 000010
【図１０】
0006045186.tif 000011
【図１１】
0006045186.tif 000012
【図１２】
0006045186.tif 000013
【図１３】
0006045186.tif 000014
【図１４】
0006045186.tif 000015
【図１５】
0006045186.tif 000016